(57)【特許請求の範囲】
【請求項１】
商品の見本等を展示する展示部材を複数並べて配置した商品展示装置において、前記展示部材は、商品の見本等を展示する略矩形状の主展示面と、前記主展示面の一方端側に設けられ、前記主展示面の後方に延びるように外方に向けて形成された副展示面とを有し、前記展示部材の主展示面と副展示面とが横方向に隣接して交互に連なって山並を形成するように、前記展示部材を複数個並べて配置し、前記主展示面に前記商品の正面の絵柄の見本が表示され、前記副展示面に前記商品の側面の絵柄の見本、または前記商品に係るロゴマークの何れかを選択的に表示可能にしたことを特徴とする商品展示装置。
【請求項２】
前記展示部材を横方向に放射状に並べたことを特徴とする請求項1に記載の商品展示装置。
【発明の詳細な説明】
【技術分野】
【０００１】
本発明は、自動販売機やショーケース等に設けられた商品等の展示部に、販売商品の見本や広告等を表示するための商品展示装置に関する。
【背景技術】
【０００２】
従来のこの種の商品展示装置としては、先に出願公開された特開２００５−３３２２５１号公報（特許文献１）に記載されるようなものが知られている。この商品（見本）展示装置は、自動販売機の前扉に組み込まれるものであって、前扉の裏面側を開放可能に設けた中扉の内側に組み付けられて前扉との間に複数の立体商品見本を並べて展示する商品展示棚と、この商品展示棚が形成した立体商品見本の展示領域を覆う透明板を備えて前扉に設けられた商品展示窓と、商品展示棚に展示される複数の立体商品見本にそれぞれ対応付けられる複数の商品選択ボタンを備えて商品展示窓に組み付けられる商品選択操作ユニットを具備し、さらに透明板の裏面側に位置付けられる商品選択操作ユニットの背面部材に、商品展示棚の前面に位置付けてシート状商品見本を保持する保持部を設けたものである。
このような商品展示装置によれば、立体商品見本を展示する商品展示棚とは別に、商品展示棚に対応して透明板の裏面側に配設された商品選択操作ユニットの背面部材にシート状商品見本を保持する保持部を設けているので、立体商品見本およびシート状商品見本をそれぞれ独立に、しかも体裁よく展示することができる。また、立体商品見本を展示した状態であっても、その前面側にシート状商品見本を配置してこれを優先的に展示することができるから使い勝手の良い商品展示装置を提供することができる。
【特許文献１】特開２００５−３３２２５１号公報
【発明の開示】
【発明が解決しようとする課題】
【０００３】
ところで、このような商品展示装置は、商品見本の展示やその変更が容易である一方で、顧客が商品展示窓の透明板を通して商品見本の正面しか視認することができないから、その展示が平面的で、顧客に対する商品の訴求効果が小さく、商品の販売促進が難しい等の問題があった。
本発明は、このような問題に対応するため、商品見本の展示や変更が容易であるとともに、商品見本の正面のほか、その商品見本の側面、或いはその商品に係るロゴマーク等も同時に表示可能として、商品見本やその商品に係る広告を立体的に展示し、展示商品の訴求効果を大きくすることによって、販売促進を効果的に図ることができる商品展示装置を提供することを目的とするものである。
【課題を解決するための手段】
【０００４】
上記課題を解決するため、請求項１に係る発明は、商品の見本等を展示する展示部材を複数並べて配置した商品展示装置において、前記展示部材は、商品の見本等を展示する略矩形状の主展示面と、前記主展示面の一方端側に設けられ、前記主展示面の後方に延びるように外方に向けて形成された副展示面とを有し、前記展示部材の主展示面と副展示面とが横方向に隣接して交互に連なって山並を形成するように、前記展示部材を複数個並べて配置し、前記主展示面に前記商品の正面の絵柄の見本が表示され、前記副展示面に前記商品の側面の絵柄の見本、または前記商品に係るロゴマークの何れかを選択的に表示可能にしたものである。
これによれば、前記商品の見本を容易に展示するとともに、前記商品の見本等を展示する前記展示部材を凹凸に並べて配置することができるから、前記商品の見本等を立体的に展示することができる。また、商品の正面の絵柄の見本ほか、その商品の側面の絵柄の見本に替えて、その商品に係るロゴマークも同時に表示可能として、商品見本やその商品に係るロゴマーク（広告）を立体的に展示し、展示商品の訴求効果を大きくすることができる。
また、請求項２に係る発明は、請求項１に記載の発明において、前記展示部材を横方向に放射状に並べたものである。
これによれば、前記展示部材に展示される商品見本に係るロゴマーク等の広告を前記商品見本と密接に関連付けて立体的に表示することができる。
【０００５】
これによれば、前記展示部材に展示される商品の見本を実物に倣って立体的に展示することができる。
【発明の効果】
【０００６】
以上説明したように請求項１に係る発明によれば、商品の見本等を展示する展示部材を横方向に隣接して凹凸に並べて配置して立体的に展示し、また、商品の正面の絵柄やその商品に係るロゴマーク（広告）を立体的に展示することができるから、展示商品の訴求効果を大きくすることができ、販売促進を効果的に図ることができる商品展示装置を提供することができる。  また、請求項２に係る発明によれば、展示部材に展示される商品見本に係るロゴマーク等の広告をその商品見本と密接に関連付けて立体的に表示することができるから、同様に展示商品の訴求効果を大きくすることができ、販売促進を効果的に図ることができる。
【発明を実施するための最良の形態】
【０００７】
本発明の実施の形態について図を参照して説明する。図１は本発明の実施形態の商品展示装置を備える自動販売機を示す正面図、図２は本発明の実施形態の商品展示装置を示す要部平面図、図３は本発明の実施形態の商品展示装置を構成する展示部材を示す斜視図である。
図１に示すように、本発明に係る商品展示装置１を備える自動販売機は、図示しない本体の前面を閉塞する前扉１０を備え、その前扉１０の前面に、透明板５で覆われた商品展示窓部３と、商品展示窓部３の奥側に設けられて商品見本を展示する商品展示装置1と、商品展示装置１の商品見本と対応してその下方前面の透明板５に設けられた商品選択ボタン４と、商品を購入するための金銭を投入する硬貨投入口６ａおよび紙幣挿入口６ｂと、釣銭等を返却する返却レバー7と、釣銭硬貨等を返却する硬貨返却口８と、販売商品を取り出すための商品取出口１１と、前扉１０を本体に施錠するための鍵部９と、投入金額や販売情報を表示するための表示装置１２とを備えている。なお、本実施形態の自動販売機は、たばこ等の商品を販売するものであって、前扉１０の前面に設けられる表示装置１２は、購入者が成人であることを識別可能な成人識別ユニット１３が備えられている。
商品展示窓部３の奥側に設けられる商品展示装置１は、図２に示すように商品見本を展示する展示部材１５を、山並みを形成するように陳列棚２０上に左右方向に連ねて並べたものである。この商品見本を展示する個々の展示部材１５は、図３に示すように、商品の見本を表示する略矩形状の前面展示部（主展示面）１６と、前面展示部１６の一端側から後方に延びるように形成された側面展示部（副展示面）１７とを備えている。また、前面展示部１６の下部前方には、商品の種別や販売価格を表示する価格ホルダ部１８が形成されている。
【０００８】
ここで、略矩形状に形成される前面展示部１６は、その展示面１６ａの左右の側端部をそれぞれ外側から覆って包み込むように、展示面１６ａとの間に僅かな隙間の溝部が形成された案内支持片２３を複数箇所に備えている。また、展示面１６ａの下部は、価格ホルダ部１８との間に同様の隙間を形成する案内溝部が形成されている。そして、このように構成される前面展示部１６に、例えば商品の絵柄が表示された薄片状の商品見本ラベル２１が装着されるとき、商品見本ラベル２１がこれらの案内支持片２３や価格ホルダ部１８により囲まれて安定に前面展示部１６の展示面１６ａに展示される。
また、前面展示部１６の一端側に後方に延びるように形成される側面展示部１７は、その表面側に前面展示部１６と同様にその前後の側部をそれぞれ外側から覆って包み込むように、その展示面１７ａとの間に僅かな隙間の溝部が形成された複数の案内支持片２５を備えている。また、側面展示部１７の下部には、その展示面１７ａから突出して形成された案内リブ部２７が形成されている。そして、このように構成される側面展示部１７の表面に、商品の側部の絵柄やロゴマーク等が表示された薄片状の側部表示ラベル２５が装着されるとき、この側部表示ラベル２５がこれらの案内支持片２６や案内リブ部２７により案内されて安定に側面展示部１７の展示面１７ａに展示される。
【０００９】
このように、本発明の実施形態の商品展示装置1においては、展示部材１５は商品見本ラベル２１が展示される略矩形状の前面展示部１６と、前面展示部１６の一端側から後方に延びるように形成され、その表面に側部表示ラベル２５を展示する側面展示部１７とを有し、その前面展示部１６と側面展示部１７とが交互に連なって山並みを形成するように、左右方向に複数並べて配置されるから、商品見本を容易に展示するとともに、商品の見本等を凹凸に並べて展示することができる。
すなわち、商品の見本等を立体的に展示することができるから、展示される商品の訴求効果を大きくすることができ、販売促進を効果的に図ることができる商品展示装置１を提供することができる。
また、山並みを形成するように横方向に複数並べて配置される展示部材１５を、例えば放射状に配置したり、一定の方向に向けたりして、その側面展示部１７を所定の方向に向けるとともに、それぞれの側面展示部１７に展示される側面表示ラベル２５の絵柄を全体として統一感のあるロゴマーク等の模様にすることにより、展示部材１５に展示される商品見本に係るロゴマーク等の広告を商品見本ラベル２１に表示される販売商品と密接に関連付けて立体的に表示することができる。これによれば、前記と同様に展示商品の訴求効果を大きくすることができ、その商品の販売促進を効果的に図ることができる。
【００１０】
また、展示部材１５の前面展示部１６に販売商品の正面の絵柄が表示される商品見本ラベル２１を展示し、側面展示部１７に販売商品の側面の絵柄が表示さる側部表示ラベル２５を展示することにより、展示部材１５に展示される商品の見本を実物に倣って立体的に展示することができる。これによれば、前記と同様に販売商品の訴求効果を大きくすることができ、商品の販売促進効果を向上させることができる。
なお、本発明は、言うまでもなく本実施の形態に示す装置にのみ限定されず、その趣旨の包含する範囲で応用変更が可能である。例えば、本発明の商品展示装置１の展示部材１５は、前面展示部１６、側面展示部１７に直接に商品の絵柄やロゴメーク等が表示されるものであっても良い。また、展示部材１５の前面展示部１６と、その一端側に後方に向かって延設される側面展示部１７の成す角度は、直角に限定されず鈍角に形成されても当然に良い。
【図面の簡単な説明】
【００１１】
【図１】本発明の実施形態の商品展示装置を備える自動販売機を示す正面図である。
【図２】本発明の実施形態の商品展示装置を示す要部平面図である。
【図３】本発明の実施形態の商品展示装置を構成する展示部材を示す斜視図である。
【符号の説明】
【００１２】
１  商品展示装置
３  商品展示窓部
４  商品選択ボタン
１５  展示部材
１６  前面展示部（主展示面）
１７  側面展示部（副展示面）
１８  価格ホルダ部
２１  商品見本ラベル
２５  側部表示ラベル
【図１】
0005201319.tif 000002
【図２】
0005201319.tif 000003
【図３】
0005201319.tif 000004